(57)【特許請求の範囲】
【請求項１】
所定の柄によって全体が装飾されたボトムスであって、
前記柄を形成する複数色の複数のインクドットと、
前記複数色の複数のインクドットによって形成された前記柄が記録された布帛によって形成され、前記ボトムスの正面に配置され且つ色濃度が第一濃度である前記柄全体のうちの正面領域を形成する第一部分と、前記ボトムスの側面に配置され且つ色濃度が前記第一濃度より高い第二濃度である前記柄全体のうちの陰影領域を形成する第二部分と、を含む第一パーツと、
前記布帛によって形成され、前記ボトムスの背面に配置され且つ色濃度が前記第一濃度である前記柄全体のうちの背面領域を形成する第三部分と、前記ボトムスの側面に配置され且つ色濃度が前記第二濃度である前記陰影領域を形成する第四部分と、を含む第二パーツと、
縫糸と、を備え、
前記第一パーツと前記第二パーツとは、前記第二部分が記録された前記第一パーツの部分と、前記第四部分が記録された前記第二パーツの部分と、で前記縫糸によって繋ぎ合わされた状態とされ、
前記陰影領域では、所定面積当たりの前記複数色の複数のインクドットの数が、前記正面領域より多く、且つ前記背面領域より多い状態とされている、ボトムス。
【請求項２】
前記第一パーツは、色濃度が前記第一濃度と前記第二濃度との間で連続的に変化する第五部分を、前記第一部分と前記第二部分との間に含み、
前記第二パーツは、色濃度が前記第一濃度と前記第二濃度との間で連続的に変化する第六部分を、前記第三部分と前記第四部分との間に含む、請求項１に記載のボトムス。
【請求項３】
前記第一部分は、前記ボトムスの正面に配置され且つ色濃度が前記第一濃度である第一模様の前記正面領域を形成し、
前記第二部分は、前記ボトムスの側面に配置され且つ色濃度が前記第二濃度である前記第一模様とは異なる第二模様の前記陰影領域を形成し、
前記第三部分は、前記ボトムスの背面に配置され且つ色濃度が前記第一濃度である前記第一模様の前記背面領域を形成し、
前記第四部分は、前記ボトムスの側面に配置され且つ色濃度が前記第二濃度である前記第二模様の前記陰影領域を形成する、請求項１に記載のボトムス。
【請求項４】
前記第一部分は、特定形状が繰り返される前記所定の柄の前記特定形状の前記ボトムスの丈方向に直交する方向のサイズが前記丈方向の上側から下側に向けて連続的に縮小する前記正面領域を形成し、
前記第二部分は、前記特定形状の前記丈方向に直交する方向のサイズが前記丈方向の上側から下側に向けて連続的に縮小する前記陰影領域を形成し、
前記第三部分は、前記特定形状の前記丈方向に直交する方向のサイズが前記丈方向の上側から下側に向けて連続的に縮小する前記背面領域を形成し、
前記第四部分は、前記特定形状の前記丈方向に直交する方向のサイズが前記丈方向の上側から下側に向けて連続的に縮小する前記陰影領域を形成する、請求項１又は請求項２に記載のボトムス。
【請求項５】
特定形状が繰り返される所定の柄によって全体が装飾されたボトムスであって、
前記柄を形成する複数色の複数のインクドットと、
前記複数色の複数のインクドットによって形成された前記柄が記録された布帛によって形成され、前記特定形状の前記ボトムスの丈方向に直交する方向のサイズが前記丈方向の上側から下側に向けて連続的に縮小する第一パーツと、
前記布帛によって形成され、前記特定形状の前記丈方向に直交する方向のサイズが前記丈方向の上側から下側に向けて連続的に縮小する第二パーツと、
縫糸と、を備え、
前記第一パーツと前記第二パーツとは、前記縫糸によって繋ぎ合わされた状態とされている、ボトムス。
【請求項６】
所定の柄によって全体が装飾されたボトムスの製造方法であって、
インクジェット記録装置によって布帛の表面に複数色の複数のインクドットを形成する記録工程と、
前記複数色の複数のインクドットによって形成された前記柄が記録された前記布帛を裁断し、前記ボトムスの正面に配置され且つ色濃度が第一濃度である前記柄全体のうちの正面領域を形成する第一部分と前記ボトムスの側面に配置され且つ色濃度が前記第一濃度より高い第二濃度である前記柄全体のうちの陰影領域を形成する第二部分とを含む第一パーツと、前記ボトムスの背面に配置され且つ色濃度が前記第一濃度である前記柄全体のうちの背面領域を形成する第三部分と前記ボトムスの側面に配置され且つ色濃度が前記第二濃度である前記陰影領域を形成する第四部分とを含む第二パーツと、を形成する裁断工程と、
前記第二部分が記録された前記第一パーツの部分と、前記第四部分が記録された前記第二パーツの部分と、で前記第一パーツと前記第二パーツとを縫糸によって縫製する縫製工程と、を含み、
前記記録工程では、前記陰影領域における所定面積当たりの前記複数色の複数のインクドットの数が、前記正面領域における前記所定面積当たりの前記複数色の複数のインクドットの数より多く、且つ前記背面領域における前記所定面積当たりの前記複数色の複数のインクドットの数より多くなる状態で、前記複数色の複数のインクドットが形成される、製造方法。
【請求項７】
特定形状が繰り返される所定の柄によって全体が装飾されたボトムスの製造方法であって、
インクジェット記録装置によって布帛の表面に複数色の複数のインクドットを形成する記録工程と、
前記複数色の複数のインクドットによって形成された前記柄が記録された前記布帛を裁断し、前記特定形状の前記ボトムスの丈方向に直交する方向のサイズが前記丈方向の上側から下側に向けて連続的に縮小する第一パーツと、前記特定形状の前記丈方向に直交する方向のサイズが前記丈方向の上側から下側に向けて連続的に縮小する第二パーツと、を形成する裁断工程と、
前記第一パーツと前記第二パーツとを縫糸よって縫製する縫製工程と、を含む製造方法。
【発明の詳細な説明】
【技術分野】
【０００１】
本発明は、下半身にアウターウェアとして着用するボトムスとボトムスの製造方法に関する。
【背景技術】
【０００２】
衣服に関する技術が提案されている。例えば、特許文献１には、体型を美しく見せる、シャツ、ズボン又はスカート等の衣類が開示されている。この衣類では、体型を美しく見せる影及び光の模様が衣類の裏側にプリントされる。この模様は、骨格や筋肉等の体の凹凸、服のシワ、服の重ね着等によって生じるものである。【０００３】
特許文献２には、体形を立体的に美しく見せることができる衣服が開示されている。この衣服は、水着、レオタード等の体にぴったりフィットする衣服である。この衣服には、衣服全体に略同形状の柄が連続的に形成される。この際、胸部分及び臀部分の柄は腹部分の柄よりも大きく形成され、ウエストライン近傍部分の柄は腹部分の柄よりも小さく形成される。この衣服では、胸部分及び臀部分の色が腹部分の色よりも淡く設定され、ウエストライン左右両端部分の色が腹部分の色よりも濃く設定される。色の濃淡は、色の明度又は彩度に差をつけることにより、適宜設定することができる。図柄は、コンピューターグラフィックを用いて作成し、生地にプリントしたものである。【０００４】
特許文献３には、色調自然濃色部付衣服が開示されている。この衣服には、バスト部、ウエスト部又はヒップ部の所望位置に、水平帯状又は左右対称任意形状の色調自然濃色部が施される。特許文献４には、濃色部を施したワンピースが開示されている。このワンピースにおいて濃色部は、ワンピースの胴部のまわりに施される。【０００５】
出願人は、色彩検査装置に関する技術を特許文献５で提案している。この色彩検査装置は、測定台と光源と測定部と判定部を備える。測定台には、測定対象物が載せ置かれる。測定対象物としては、繊維製品が挙げられる。光源は、測定対象物の表面に光を照射する。光源は、測定対象領域に対して垂直方向に光を照射するように設定される。測定部は、測定対象物から所定距離を置いて設置される。測定部は、分光放射輝度計を備える。分光放射輝度計は、測定対象物の表面の測定対象領域を広角レンズを介して直径７ｃｍ以上の測定径で測定する。分光放射輝度計は、測定対象領域に対して４５度傾斜した方向から測定するように設定される。判定部は、分光放射輝度計から得られた測定結果に基づいて測定対象物表面の色彩の良否を判定する。特許文献５には、自動車用の内装材として用いられる布帛の色彩検査では測定領域を広くとり、一見色として色をとらえることが有効である、と記載されている。
【先行技術文献】
【特許文献】
【０００６】
【特許文献１】特開２０１３−２１３３０３号公報
【特許文献２】特開平１１−３２３６２４号公報
【特許文献３】実開昭５８−９２３２５号公報
【特許文献４】実開昭５５−１５２４４号公報
【特許文献５】特許第４５８８０７０号公報
【発明の概要】
【発明が解決しようとする課題】
【０００７】
着用者のスタイルを良く見せることができる衣服が種々提案されている。発明者は、衣服のうち、下半身にアウターウェアとして着用するボトムスを対象として、着用者のスタイルを良く見せることができる視覚的効果が得られる技術を検討した。【０００８】
本発明は、着用者のスタイルを良く見せることができるボトムスとボトムスの製造方法を提供することを目的とする。
【課題を解決するための手段】
【０００９】
本発明の一側面は、所定の柄によって全体が装飾されたボトムスであって、前記柄を形成する複数色の複数のインクドットと、前記複数色の複数のインクドットによって形成された前記柄が記録された布帛によって形成され、前記ボトムスの正面に配置され且つ色濃度が第一濃度である前記柄全体のうちの正面領域を形成する第一部分と、前記ボトムスの側面に配置され且つ色濃度が前記第一濃度より高い第二濃度である前記柄全体のうちの陰影領域を形成する第二部分と、を含む第一パーツと、前記布帛によって形成され、前記ボトムスの背面に配置され且つ色濃度が前記第一濃度である前記柄全体のうちの背面領域を形成する第三部分と、前記ボトムスの側面に配置され且つ色濃度が前記第二濃度である前記陰影領域を形成する第四部分と、を含む第二パーツと、縫糸と、を備え、前記第一パーツと前記第二パーツとは、前記第二部分が記録された前記第一パーツの部分と、前記第四部分が記録された前記第二パーツの部分と、で前記縫糸によって繋ぎ合わされた状態とされ、前記陰影領域では、所定面積当たりの前記複数色の複数のインクドットの数が、前記正面領域より多く、且つ前記背面領域より多い状態とされている、ボトムスである。
【００１０】
これによれば、着用者の脚を細く見せる視覚的効果をボトムスに付与することができる。このボトムスの着用者の正面及び背面からこの着用者を見た第三者に対して、着用者の脚が細い印象を与えることができる。インクジェット記録装置から吐出されたインクによって形成された複数色の複数のインクドットによって柄を形成することで、高画質の柄とすることができる。柄を複数色の複数のインクドットで形成することで、第一パーツを、第一部分と第二部分がそれぞれ記録された別の部分パーツを繋ぎ合わせて形成する必要がなく、第二パーツを、第三部分と第四部分がそれぞれ記録された別の部分パーツを繋ぎ合わせて形成する必要がない。繋ぎ目のない第一パーツ及び第二パーツとすることができる。このボトムスにおいて、全体を装飾する柄は、上記の記載から明らかな通り、第一濃度の正面領域及び背面領域と第二濃度の陰影領域を含む。従って、このボトムスの全体を装飾する柄は、色濃度が同一である単一色の柄を対象とするものではない。更に、このボトムスの全体を装飾する柄は、素材となる布帛自体に形成された凹凸のみによって表現された柄を対象とするものではない。このボトムスの全体を装飾する柄は、少なくとも、複数色の複数のインクドットによって形成される。インクドットの色に関し、複数色は、色を表現する要素としての色相と明度と彩度のうち、少なくとも１つの要素がそれぞれ異なる２種以上の色である。色濃度は、色相と明度と彩度のうち、例えば、明度又は彩度を異ならせることで変化させることができる。第一濃度は、正面領域及び背面領域に個々に含まれる各色のうちの特定の色の色濃度を示すものではない。第一濃度は、正面領域及び背面領域の各領域の全体を対象とした一見色の濃度である。第一濃度は、正面領域及び背面領域の各領域の全体から得られる色目である。第二濃度は、陰影領域に個々に含まれる各色のうちの特定の色の色濃度を示すものではない。第二濃度は、陰影領域の全体を対象とした一見色の濃度である。第二濃度は、陰影領域の全体から得られる色目である。【００１１】
このボトムスにおいて、前記第一パーツは、色濃度が前記第一濃度と前記第二濃度との間で連続的に変化する第五部分を、前記第一部分と前記第二部分との間に含み、前記第二パーツは、色濃度が前記第一濃度と前記第二濃度との間で連続的に変化する第六部分を、前記第三部分と前記第四部分との間に含む、ようにしてもよい。これによれば、正面又は背面から側面への色彩の変化を自然な状態とすることができる。【００１２】
前記第一部分は、前記ボトムスの正面に配置され且つ色濃度が前記第一濃度である第一模様の前記正面領域を形成し、前記第二部分は、前記ボトムスの側面に配置され且つ色濃度が前記第二濃度である前記第一模様とは異なる第二模様の前記陰影領域を形成し、前記第三部分は、前記ボトムスの背面に配置され且つ色濃度が前記第一濃度である前記第一模様の前記背面領域を形成し、前記第四部分は、前記ボトムスの側面に配置され且つ色濃度が前記第二濃度である前記第二模様の前記陰影領域を形成する、ようにしてもよい。これによれば、ボトムスのデザインのバリエーションを豊富にすることができる。第一模様と第二模様における模様は、装飾に施す種々の形、又は表面にあらわれた図形を意味する。【００１３】
前記第一部分は、特定形状が繰り返される前記所定の柄の前記特定形状の前記ボトムスの丈方向に直交する方向のサイズが前記丈方向の上側から下側に向けて連続的に縮小する前記正面領域を形成し、前記第二部分は、前記特定形状の前記丈方向に直交する方向のサイズが前記丈方向の上側から下側に向けて連続的に縮小する前記陰影領域を形成し、前記第三部分は、前記特定形状の前記丈方向に直交する方向のサイズが前記丈方向の上側から下側に向けて連続的に縮小する前記背面領域を形成し、前記第四部分は、前記特定形状の前記丈方向に直交する方向のサイズが前記丈方向の上側から下側に向けて連続的に縮小する前記陰影領域を形成する、ようにしてもよい。これによれば、着用者の足を長く見せる視覚的効果をボトムスに付与することができる。このボトムスの着用者を見た第三者に対して、着用者の足が長い印象を与えることができる。【００１４】
本発明の他の側面は、特定形状が繰り返される所定の柄によって全体が装飾されたボトムスであって、前記柄を形成する複数色の複数のインクドットと、前記複数色の複数のインクドットによって形成された前記柄が記録された布帛によって形成され、前記特定形状の前記ボトムスの丈方向に直交する方向のサイズが前記丈方向の上側から下側に向けて連続的に縮小する第一パーツと、前記布帛によって形成され、前記特定形状の前記丈方向に直交する方向のサイズが前記丈方向の上側から下側に向けて連続的に縮小する第二パーツと、縫糸と、を備え、前記第一パーツと前記第二パーツとは、前記縫糸によって繋ぎ合わされた状態とされている、ボトムスである。
【００１５】
これによれば、着用者の足を長く見せる視覚的効果をボトムスに付与することができる。このボトムスの着用者を見た第三者に対して、着用者の足が長い印象を与えることができる。インクジェット記録装置から吐出されたインクによって形成された複数色の複数のインクドットによって柄を形成することで、高画質の柄とすることができる。このボトムスにおいて、全体を装飾する柄は、素材となる布帛自体に形成された凹凸のみによって表現された柄を対象とするものではない。このボトムスの全体を装飾する柄は、少なくとも、複数色の複数のインクドットによって形成される。インクドットの色に関し、複数色は、上記同様である。【００１６】
本発明の更に他の側面は、所定の柄によって全体が装飾されたボトムスの製造方法であって、インクジェット記録装置によって布帛の表面に複数色の複数のインクドットを形成する記録工程と、前記複数色の複数のインクドットによって形成された前記柄が記録された前記布帛を裁断し、前記ボトムスの正面に配置され且つ色濃度が第一濃度である前記柄全体のうちの正面領域を形成する第一部分と前記ボトムスの側面に配置され且つ色濃度が前記第一濃度より高い第二濃度である前記柄全体のうちの陰影領域を形成する第二部分とを含む第一パーツと、前記ボトムスの背面に配置され且つ色濃度が前記第一濃度である前記柄全体のうちの背面領域を形成する第三部分と前記ボトムスの側面に配置され且つ色濃度が前記第二濃度である前記陰影領域を形成する第四部分とを含む第二パーツと、を形成する裁断工程と、前記第二部分が記録された前記第一パーツの部分と、前記第四部分が記録された前記第二パーツの部分と、で前記第一パーツと前記第二パーツとを縫糸によって縫製する縫製工程と、を含み、前記記録工程では、前記陰影領域における所定面積当たりの前記複数色の複数のインクドットの数が、前記正面領域における前記所定面積当たりの前記複数色の複数のインクドットの数より多く、且つ前記背面領域における前記所定面積当たりの前記複数色の複数のインクドットの数より多くなる状態で、前記複数色の複数のインクドットが形成される、製造方法である。これによれば、対応する上記のボトムスを製造することができる。この製造方法は、上記のボトムスと同様、他の要素を含むボトムスの製造方法として特定することもできる。
【００１７】
本発明の更に他の側面は、特定形状が繰り返される所定の柄によって全体が装飾されたボトムスの製造方法であって、インクジェット記録装置によって布帛の表面に複数色の複数のインクドットを形成する記録工程と、前記複数色の複数のインクドットによって形成された前記柄が記録された前記布帛を裁断し、前記特定形状の前記ボトムスの丈方向に直交する方向のサイズが前記丈方向の上側から下側に向けて連続的に縮小する第一パーツと、前記特定形状の前記丈方向に直交する方向のサイズが前記丈方向の上側から下側に向けて連続的に縮小する第二パーツと、を形成する裁断工程と、前記第一パーツと前記第二パーツとを縫糸よって縫製する縫製工程と、を含む製造方法である。これによれば、対応する上記のボトムスを製造することができる。
【発明の効果】
【００１８】
本発明によれば、着用者のスタイルを良く見せることができるボトムスとボトムスの製造方法を得ることができる。
【図面の簡単な説明】
【００１９】
【図１】第一実施例のパンツを示す写真である。人形に着用させた第一実施例のパンツの正面側を示す。
【図２】第二実施例のパンツを示す写真である。人形に着用させた第二実施例のパンツの正面側を示す。
【図３】第一実施例のパンツの素材となる布帛を示す写真である。
【図４】第一実施例のパンツの素材の一部を拡大した写真である。色濃度が変化する状態を示す。
【図５】図１及び図２に示すＬ方向又はＲ方向から視た部分拡大図である。縫糸によって縫製された状態の概略を示す。
【図６】第二実施形態のパンツの素材となる布帛を示す写真である。
【発明を実施するための形態】
【００２０】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００２１】
＜ボトムス＞
ボトムスは、下半身にアウターウェアとして着用される。ボトムスとしては、各種形状のパンツ及びスカートが挙げられる。パンツを形状により分類すると、例えば、ストレートパンツ、スリムパンツ又はスキニーパンツがある。この他、丈を所定量短くした、クロップドパンツがある。更に、伸縮性のある素材を用いたストレッチパンツがある。実施形態では、ボトムスとして、図１及び図２に示すパンツ１０を例に説明する。
【００２２】
＜パンツ＞
パンツ１０について図１及び図２を参照して説明する。パンツ１０は、全体が所定の柄によって装飾されている。柄は、例えば、色彩と所定の模様によって形成される。柄としては、例えば、各種のチェック柄（図１及び図２参照）、ツイード調柄、デニム調柄又はストライプ柄が挙げられる。実施形態において、模様は、装飾に施す種々の形、又は表面にあらわれた図形を意味する。パンツ１０は、パンツ１０Ａ（図１参照）と、パンツ１０Ｂ（図２参照）を総称するものであり、これらを区別しない場合に用いる名称である。パンツ１０Ａの素材を「布帛２０Ａ」（図３参照）という。パンツ１０Ｂの素材を「布帛２０Ｂ」（図６参照）という。布帛２０Ａ，２０Ｂを総称し、又はこれらを区別しない場合、「布帛２０」という。
【００２３】
全体が装飾されたパンツ１０は、パンツ１０の柄が記録された布帛２０から、パンツ１０を形成する各パーツを裁断し、裁断された各パーツを縫糸３１を用いて縫製して形成される。この点に関する説明は後述する。柄の記録には、インクジェット記録装置が用いられる。インクジェット記録装置では、表現すべき色に対応した色のインクがインクジェット記録装置にセットされた布帛（記録媒体）に吐出される。インクジェット記録装置には、複数色のインクが備えられる。例えば、シアン、マゼンタ、イエロー及びブラックのインクを用いると、高画質でフルカラーの柄を記録することができる。柄の記録に際し、パンツ１０を形成する各パーツの輪郭線を記録するようにしてもよい。
【００２４】
吐出された各色のインクのインク滴は、記録媒体としての布帛の表面に着弾しインクドットを形成する。このように、パンツ１０では、柄は、複数色の複数のインクドットによって形成される。
【００２５】
次に、パンツ１０について２つの実施例を説明する。第一実施例は、図１に示すパンツ１０Ａに基づくものである。第二実施例は、図２に示すパンツ１０Ｂに基づくものである。「正面」及び「背面」と「右」及び「左」は、パンツ１０の着用者の正面及び背面と左及び右に一致する。パンツ１０Ａとパンツ１０Ｂのそれぞれを形成する各パーツに対する符号について、同一のパーツ（但し、柄は異なる）には同一の符号を付すこととする。
【００２６】
＜第一実施例＞
パンツ１０Ａについて、図１及び図３〜図５を参照して説明する。図３〜図５における「丈方向」は、図１の「丈方向」に準ずる。パンツ１０Ａは、所定のチェック柄によって全体が装飾されたパンツである（図１参照）。パンツ１０Ａの柄として例示するチェック柄は、複数の色と、特定形状が繰り返される格子模様による柄である。色は、色相と明度と彩度を要素として表現される。従って、複数の色は、色を表現する要素としての色相と明度と彩度のうち、少なくとも１つの要素がそれぞれ異なる２種以上の色である。パンツ１０Ａの左右両側面には、正面領域及び背面領域の第一濃度より高い第二濃度の陰影領域１１Ｌ，１１Ｒが形成される。第一濃度及び第二濃度に関し、色濃度は、色相と明度と彩度のうち、例えば、明度又は彩度を異ならせることで変化させることができる。陰影領域１１Ｌ，１１Ｒは、パンツ１０Ａの丈方向において、ベルト通し１３が設けられたウエスト領域の下側から裾端に至る範囲に形成される。正面領域は、柄全体のうち、パンツ１０Ａの正面に配置された領域である（図１参照）。背面領域は、柄全体のうち、パンツ１０Ａの背面に配置された領域である。背面領域は、図１では不図示とされている。陰影領域１１Ｌは、柄全体のうち、パンツ１０Ａの左側面に配置された領域である（図１参照）。陰影領域１１Ｒは、柄全体のうち、パンツ１０Ａの右側面に配置された領域である（図１参照）。
【００２７】
第一濃度は、正面領域及び背面領域に個々に含まれる各色のうちの特定の色の色濃度を示すものではない。第一濃度は、正面領域及び背面領域の各領域の全体を対象とした一見色の濃度である。第一濃度は、正面領域及び背面領域の各領域の全体から得られる色目である。第二濃度は、陰影領域１１Ｌ，１１Ｒの各領域に個々に含まれる各色のうちの特定の色の色濃度を示すものではない。第二濃度は、陰影領域１１Ｌ，１１Ｒの各領域の全体を対象とした一見色の濃度である。第二濃度は、陰影領域１１Ｌ，１１Ｒの各領域から得られる色目である。一見色の色濃度は、例えば、上述した出願人による色彩検査装置での測定の場合と同様、公知の方法によって測定することができる。即ち、測定径を、例えば、数ｃｍ〜十数ｃｍ以上というように広くする等して測定することができる。
【００２８】
パンツ１０Ａは、図３に示す布帛２０Ａを素材として形成される。布帛２０Ａは、上述した通り、インクジェット記録装置を用いて記録媒体となる布帛に複数色の複数のインクドットを形成して装飾されたものである。このとき、柄は、基準線Ｄを中心として左右対称となる状態で記録される。布帛２０Ａに記録された柄は、第一濃度に表現された領域と、第二濃度に表現された領域を含む。布帛２０Ａにおいて、第一濃度に表現された領域と第二濃度に表現された領域は、第一濃度と第二濃度の間を連続的に色濃度が変化する変化領域を介して連なる（図４参照）。色濃度の変化は、例えば、所定面積当たりのインクドット数を増減させることで実現することができる。この場合、第二濃度の領域では、所定面積当たりのインクドット数が第一濃度の領域より多くなる。
【００２９】
布帛２０Ａから裁断されるパーツは、左右の前身部２１Ｌ，２１Ｒと、左右の後身部２３Ｌ，２３Ｒと、左右の前ポケット部２５Ｌ，２５Ｒと、左右の後ポケット部２７Ｌ，２７Ｒと、ウエスト部２９である。布帛２０Ａにおいて、左側の各パーツと右側の各パーツは、基準線Ｄを基準として、左右対称となる各位置にそれぞれ型取りされる。左側のパーツは、前身部２１Ｌと、後身部２３Ｌと、前ポケット部２５Ｌと、後ポケット部２７Ｌである。右側のパーツは、前身部２１Ｒと、後身部２３Ｒと、前ポケット部２５Ｒと、後ポケット部２７Ｒである。
【００３０】
各パーツの型取りは、次のように行われる。前身部２１Ｌと後身部２３Ｌと前ポケット部２５Ｌと後ポケット部２７Ｌの各パーツについては、パンツ１０Ａにおける柄の正面領域又は背面領域を形成する部分と第一濃度である布帛２０Ａの領域が合わせられ、陰影領域１１Ｌを形成する部分と第二濃度である布帛２０Ａの領域が合わせられる。そのため、例えば、前身部２１Ｌは、柄全体のうちの正面領域を形成する部分と、柄全体のうちの陰影領域１１Ｌを形成する部分を含む。前身部２１Ｌは、パンツ１０Ａの正面から左側面の側へと向かう方向において、色濃度が第一濃度から第二濃度へと連続的に変化する部分を含む（図４に示す「変化領域」参照）。この部分は、第一濃度の部分と第二濃度の部分の間に設けられる。後身部２３Ｌは、柄全体のうちの背面領域を形成する部分と、柄全体のうちの陰影領域１１Ｌを形成する部分を含む。後身部２３Ｌは、パンツ１０Ａの背面から左側面の側へと向かう方向において、色濃度が第一濃度から第二濃度へと連続的に変化する部分を含む（図４に示す「変化領域」参照）。この部分は、第一濃度の部分と第二濃度の部分の間に設けられる。
【００３１】
前身部２１Ｒと後身部２３Ｒと前ポケット部２５Ｒと後ポケット部２７Ｒの各パーツについては、パンツ１０Ａにおける柄の正面領域又は背面領域を形成する部分と第一濃度である布帛２０Ａの領域が合わせられ、陰影領域１１Ｒを形成する部分と第二濃度である布帛２０Ａの領域が合わせられる。そのため、例えば、前身部２１Ｒは、柄全体のうちの正面領域を形成する部分と、柄全体のうちの陰影領域１１Ｒを形成する部分を含む。前身部２１Ｒは、パンツ１０Ａの正面から右側面の側へと向かう方向において、色濃度が第一濃度から第二濃度へと連続的に変化する部分を含む（図４に示す「変化領域」参照）。この部分は、第一濃度の部分と第二濃度の部分の間に設けられる。後身部２３Ｒは、柄全体のうちの背面領域を形成する部分と、柄全体のうちの陰影領域１１Ｒを形成する部分を含む。後身部２３Ｒは、パンツ１０Ａの背面から右側面の側へと向かう方向において、色濃度が第一濃度から第二濃度へと連続的に変化する部分を含む（図４に示す「変化領域」参照）。この部分は、第一濃度の部分と第二濃度の部分の間に設けられる。ウエスト部２９は、第一濃度の布帛２０Ａの領域に型取られる。
【００３２】
左右の各パーツは、このような柄の記録及び型取りによって、左右対称な形状で且つ左右対称な柄となる。例えば、前身部２１Ｌ，２１Ｒは、左右対称な形状で且つ左右対称な柄となる。後身部２３Ｌ，２３Ｒは、左右対称な形状で且つ左右対称な柄となる。
【００３３】
布帛２０Ａから裁断された各パーツは縫糸３１を用いて適宜縫製され、パンツ１０Ａがこれら各パーツによって形成される。例えば、前身部２１Ｌと後身部２３Ｌが、縫糸３１を用いて縫製される（図５参照）。前身部２１Ｌと後身部２３Ｌは、陰影領域１１Ｌを形成する各部分が記録された前身部２１Ｌの部分と後身部２３Ｌの部分で縫製される。これによって、パンツ１０Ａの陰影領域１１Ｌのうち、前身部２１Ｌと後身部２３Ｌによる部分が形成される。前身部２１Ｒと後身部２３Ｒが、縫糸３１を用いて縫製される（図５参照）。前身部２１Ｒと後身部２３Ｒは、陰影領域１１Ｒを形成する各部分が記録された前身部２１Ｒの部分と後身部２３Ｒの部分で縫製される。これによって、パンツ１０Ａの陰影領域１１Ｒのうち、前身部２１Ｒと後身部２３Ｒによる部分が形成される。縫糸３１によって縫製された前身部２１Ｌと後身部２３Ｌ又は前身部２１Ｒと後身部２３Ｒの各繋ぎ目３３は、例えば、図５に示すような状態となる。図５では、パンツ１０Ａの全体を装飾する柄の図示は、省略されている。
【００３４】
＜第一実施例の効果＞
パンツ１０Ａによれば、次のような効果を得ることができる。
【００３５】
（１）着用者の脚を細く見せる視覚的効果をパンツ１０Ａに付与することができる。パンツ１０Ａの着用者の正面及び背面からこの着用者を見た第三者に対して、着用者の脚が細い印象を与えることができる。インクジェット記録装置から吐出されたインクによって形成された複数色の複数のインクドットによって柄を形成することで、高画質の柄とすることができる。色濃度が変化するパーツに関し、柄を複数色の複数のインクドットで形成することで、色濃度が異なる２つの部分パーツを縫製等の方法によって繋ぎ合わせる必要がない。色濃度が変化する部分での繋ぎ目をなくすことができる。色濃度が変化するパーツは、図３に基づけば、ウエスト部２９以外のパーツである。
【００３６】
（２）色濃度の変化を連続的とすることで（図４参照）、パンツ１０Ａで、正面又は背面から側面への色彩の変化を自然にすることができる。
【００３７】
＜第二実施例＞
パンツ１０Ｂについて、図２、図５及び図６を参照して説明する。図５及び図６における「丈方向」は、図２に示す「丈方向」に準ずる。パンツ１０Ｂは、所定のチェック柄によって全体が装飾されたパンツである（図２参照）。パンツ１０Ｂの柄として例示するチェック柄は、複数の色と、特定形状が繰り返される格子模様による柄である。複数の色については、第一実施例の場合と同様である。パンツ１０Ｂのチェック柄は、ギンガムチェックと称される。但し、パンツ１０Ｂでは、このチェック柄において繰り返される特定形状としての格子は、丈方向を基準としたとき、上側から下側に向かいそのサイズが連続的に縮小した形状とされる。
【００３８】
パンツ１０Ｂは、図６に示す布帛２０Ｂを素材として形成される。布帛２０Ｂは、上述した通り、インクジェット記録装置を用いて記録媒体となる布帛に、複数色の複数のインクドットを形成して装飾されたものである。このとき、柄は、基準線Ｄを中心として左右対称となる状態で記録される。布帛２０Ｂに記録された柄は、非変形領域と変形領域を含む。非変形領域は、布帛２０Ｂにおけるチェック柄において繰り返される格子が同一形状のまま繰り返された領域である。変形領域は、布帛２０Ｂにおけるチェック柄において繰り返される格子のサイズを丈方向の上側から下側（腰側から裾側）へと連続的に縮小させた領域である。サイズの縮小は、丈方向に直交する方向、又は丈方向及び丈方向に直交する方向になされる。
【００３９】
布帛２０Ｂから裁断されるパーツは、第一実施例の場合と同様、左右の前身部２１Ｌ，２１Ｒと、左右の後身部２３Ｌ，２３Ｒと、左右の前ポケット部２５Ｌ，２５Ｒと、左右の後ポケット部２７Ｌ，２７Ｒと、ウエスト部２９である。布帛２０Ｂにおいて、左側の各パーツと右側の各パーツは、基準線Ｄを基準として、左右対称となる各位置にそれぞれ型取りされる。左側のパーツは、上述した通り、前身部２１Ｌと、後身部２３Ｌと、前ポケット部２５Ｌと、後ポケット部２７Ｌである。右側のパーツは、上述した通り、前身部２１Ｒと、後身部２３Ｒと、前ポケット部２５Ｒと、後ポケット部２７Ｒである。
【００４０】
各パーツの型取りは、次のように行われる。前身部２１Ｌと後身部２３Ｌについては、丈方向を基準として、裾端を含む裾部と非変形領域が合わせられ、裾部の上側から着用者の臀部に対応した所定の位置までの部分と変形領域が合わせられ、前述の範囲より上側の部分と非変形領域が合わせられる。前ポケット部２５Ｌについては、その全体に非変形領域が合わせられる。後ポケット部２７Ｌについては、丈方向の下側の領域と変形領域が合わせられ、丈方向の上側の領域と非変形領域が合わせられる。後ポケット部２７Ｌにおける変形領域及び非変形領域の配置は、後身部２３Ｌの臀部での変形領域及び非変形領域の配置に対応させたものである。
【００４１】
前身部２１Ｒと後身部２３Ｒについては、丈方向を基準として、裾端を含む裾部と非変形領域が合わせられ、裾部の上側から着用者の臀部に対応した所定の位置までの部分と変形領域が合わせられ、前述の範囲より上側の部分と非変形領域が合わせられる。前ポケット部２５Ｒについては、その全体に非変形領域が合わせられる。後ポケット部２７Ｒについては、丈方向の下側の領域と変形領域が合わせられ、丈方向の上側の領域と非変形領域が合わせられる。後ポケット部２７Ｒにおける変形領域及び非変形領域の配置は、後身部２３Ｒの臀部での変形領域及び非変形領域の配置に対応させたものである。ウエスト部２９は、非変形領域に型取られる。
【００４２】
左右の各パーツは、このような柄の記録及び型取りによって、左右対称な形状で且つ左右対称な柄となる。例えば、前身部２１Ｌ，２１Ｒは左右対称な形状で且つ左右対称な柄となる。後身部２３Ｌ，２３Ｒは左右対称な形状で且つ左右対称な柄となる。
【００４３】
布帛２０Ｂから裁断された各パーツは、縫糸３１を用いて適宜縫製され、パンツ１０Ｂがこれら各パーツによって形成される。例えば、前身部２１Ｌと後身部２３Ｌが、縫糸３１を用いて縫製される（図５参照）。前身部２１Ｒと後身部２３Ｒが、縫糸３１を用いて縫製される（図５参照）。縫糸３１によって縫製された前身部２１Ｌと後身部２３Ｌ又は前身部２１Ｒと後身部２３Ｒの各繋ぎ目３３は、第一実施例の場合と同様、例えば、図５に示すような状態となる。図５では、パンツ１０Ｂの全体を装飾する柄の図示は、省略されている。
【００４４】
＜第二実施例の効果＞
着用者の足を長く見せる視覚的効果をパンツ１０Ｂに付与することができる。パンツ１０Ｂの着用者を見た第三者に対して、着用者の足が長い印象を与えることができる。インクジェット記録装置から吐出されたインクによって形成された複数色の複数のインクドットによって柄を形成することで、高画質の柄とすることができる。
【００４５】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は適宜省略する。
【００４６】
（１）上記では、パンツ１０Ａ，１０Ｂを例に説明した。パンツ１０Ａは、陰影領域１１Ｌ，１１Ｒを含む柄によって全体が装飾される（図１及び図３参照）。パンツ１０Ｂは、繰り返される特定形状のサイズを丈方向の上側から下側に向けて連続的に縮小させた領域を含む柄によって全体が装飾される（図２及び図６参照）。パンツ１０Ａ，１０Ｂにおいて個別に採用された前述の構成を１本のパンツにおいて実現するようにしてもよい。パンツ１０Ａに基づき説明すると、パンツ１０Ａにおける柄として表現されたチェック柄を形成する格子の間隔を、丈方向の上側から下側に向けて縮小するようにしてもよい。縮小対象となる間隔は、上記同様、丈方向に直交する方向、又は丈方向及び丈方向に直交する方向である。チェック柄が変形される丈方向の範囲は、例えば、上記同様、裾端を含む裾部の上側から着用者の臀部に対応した所定の位置までの範囲とされる。パンツ１０Ｂに基づき説明すると、パンツ１０Ｂの左右両側面に、正面領域及び背面領域の第一濃度より高い第二濃度の陰影領域を形成するようにしてもよい。陰影領域が設けられる丈方向の範囲は、例えば、上記同様、ベルト通し１３（図２参照）が設けられたウエスト領域の下側から裾端に至る範囲とされる。色濃度の変化も連続的とされる。
【００４７】
（２）上記では、パンツ１０Ａにおける柄を、正面領域及び背面領域と陰影領域１１Ｌ，１１Ｒによる全領域において同一模様とした構成を例に説明した（図１及び図３参照）。正面領域及び背面領域と陰影領域１１Ｌ，１１Ｒで模様を異ならせた柄のパンツとしてもよい。例えば、正面領域及び背面領域を色濃度が第一濃度のチェックとし、陰影領域１１Ｌ，１１Ｒを色濃度が第二濃度であるツイード調又はデニム調とするようにしてもよい。正面領域及び背面領域と陰影領域１１Ｌ，１１Ｒの間の色濃度の変化に関し、色濃度が連続的に変化する部分を省略するようにしてもよい。
【００４８】
（３）上記では、陰影領域１１Ｌ，１１Ｒを左右両側面（外側）に設けたパンツ１０Ａを例に説明した（図１及び図３参照）。股側の左右両側面に、上述した陰影領域１１Ｌ，１１Ｒと同様の陰影領域を設けるようにしてもよい。
【符号の説明】
【００４９】
１０，１０Ａ，１０Ｂ  パンツ、  １１Ｌ，１１Ｒ  陰影領域
１３  ベルト通し、  ２０，２０Ａ，２０Ｂ  布帛
２１Ｌ，２１Ｒ  前身部、  ２３Ｌ，２３Ｒ  後身部
２５Ｌ，２５Ｒ  前ポケット部、  ２７Ｌ，２７Ｒ  後ポケット部
２９  ウエスト部、  ３１  縫糸、  ３３  繋ぎ目、  Ｄ  基準線
【図１】
0005966111.tif 000002
【図２】
0005966111.tif 000003
【図３】
0005966111.tif 000004
【図４】
0005966111.tif 000005
【図５】
0005966111.tif 000006
【図６】
0005966111.tif 000007